(57)【特許請求の範囲】
【請求項１】
少なくとも２つのキャッチ部品（１５、１５’）を備えるキャッチシステム、特に、可動家具部品用のキャッチシステムであって、
前記キャッチ部品（１５、１５’）の各々がスイッチングカーブ（２０）を備え、該スイッチングカーブにスイッチング要素（１０）が変位可能に取り付けられ、前記スイッチングカーブ（２０）が、キャッチ用凹部（２６）を有するループ状セグメント（２３）を含み、前記スイッチング要素（１０）が力蓄積デバイス（６３）によって前記キャッチ用凹部（２６）と係合可能であり、前記スイッチング要素（１０）が可動家具部品に連結される、キャッチシステムにおいて、
前記キャッチ部品（１５、１５’）の各々に開始要素（３０）が設けられ、前記開始要素（３０）によって、前記スイッチング要素（１０）が前記キャッチ用凹部（２６）から移動可能であり、コントローラ（７６）が設けられ、前記コントローラ（７６）によって、前記キャッチ部品（１５、１５’）の前記開始要素（３０）が、前記スイッチング要素（１０）をロック解除するために作動可能であることを特徴とする、キャッチシステム。
【請求項２】
前記コントローラが、少なくとも１つの光学、音響、電気または磁気センサに接続されることを特徴とする、請求項１に記載のキャッチシステム。
【請求項３】
前記コントローラが、それぞれ１つの開始要素（３０）を移動可能である複数の駆動手段（５０）に接続されることを特徴とする、請求項１または２に記載のキャッチシステム。
【請求項４】
前記コントローラに、前記可動家具部品の移動距離を検出するためのセンサが設けられることを特徴とする、請求項１〜３のいずれか一項に記載のキャッチシステム。
【請求項５】
前記開始要素（３０）の各々が、前記スイッチングカーブ（２０）を有するコンポーネント（１８）の受け部（４０）に沿って変位可能に取り付けられるスライダとして構成されることを特徴とする、請求項１〜４のいずれか一項に記載のキャッチシステム。
【請求項６】
前記開始要素（３０）の各々が、駆動手段によって移動されうることを特徴とする、請求項１〜５のいずれか一項に記載のキャッチシステム。
【請求項７】
前記開始要素（３０）の各々が、リフト磁石（５０）によって移動されうることを特徴とする、請求項１〜６のいずれか一項に記載のキャッチシステム。
【請求項８】
初期位置において、前記開始要素（３０）が、前記スイッチング要素（１０）のストッパをなすことを特徴とする、請求項１〜７のいずれか一項に記載のキャッチシステム。
【請求項９】
前記スイッチングカーブ（２０）が、力蓄積デバイスによって初期位置において予張力がかけられることを特徴とする、請求項１〜８のいずれか一項に記載のキャッチシステム。
【請求項１０】
前記スイッチングカーブ（２０）が、ばね（４５）によって初期位置において予張力がかけられることを特徴とする、請求項１〜９のいずれか一項に記載のキャッチシステム。
【請求項１１】
前記コントローラ（７６）によって前記開始要素（３０）が作動されると同時に、光学または音響デバイスがオンに切り換えられうることを特徴とする、請求項１〜１０のいずれか一項に記載のキャッチシステム。
【発明の詳細な説明】
【技術分野】
【０００１】
本発明は、少なくとも２つのキャッチ部品（ｃａｔｃｈ  ｆｉｔｔｉｎｇ：留め具）を備えるキャッチシステム、特に、可動家具部品用のキャッチシステムに関する。各キャッチ部品は、スイッチング要素が変位可能に取り付けられたスイッチングカーブを含み、各スイッチングカーブは、ループ状セグメントおよびキャッチ用凹部を含み、スイッチング要素は力蓄積デバイスによってキャッチ用凹部と係合可能であり、各スイッチング要素は可動家具部品に連結される。
【背景技術】
【０００２】
欧州特許出願公開第１８４５８２１号明細書には、キャッチ機構が設けられた引出し引き抜きガイド用の開閉デバイスが開示されている。引出しを閉じるとき、排出（ｅｊｅｃｔｉｏｎ）デバイスのばねが付勢され、キャッチ機構によって固定される。キャッチ機構のロックを解除するために、引出しは、スイッチング要素が係合位置からスイッチングカーブ内で移動された後、ばねによって開位置に移動されるように、ばねの力に抗して押圧される。この開閉デバイスの欠点は、引出しを手で押すことでロックが解除されることである。詳細に言えば、引出しの両側に開閉デバイスが配設された幅広の引出しの場合、一方では開閉デバイスしかロック解除されておらず、他方ではスイッチング要素が係合したままであるという事態が起こりうる。その結果、引出しが開けず、さらには、キャッチ部品のコンポーネント（構成要素）が強い力にさらされて、損傷するおそれがある。
【発明の概要】
【発明が解決しようとする課題】
【０００３】
したがって、本発明の目的は、キャッチ部品を確実に同期させてロック解除をする可動家具部品用のキャッチシステムを提供することである。
【課題を解決するための手段】
【０００４】
この目的を達成するために、請求項１の特徴を有するキャッチシステムが提供される。
【０００５】
本発明によれば、キャッチシステムにおいて、各キャッチ部品に開始要素（ｉｎｉｔｉａｔｏｒ）が設けられ、この開始要素によって、スイッチング要素は、キャッチ用凹部から移動可能であり、コントローラが設けられ、このコントローラによって、キャッチ部品の開始要素は、ロック解除するためにスイッチング要素を作動させることができる。その結果、すべてのキャッチ部品のロック解除は、所定の動きの結果、同時に達成されうる。特に、幅広の引出しの場合や他の用途において、可動家具部品の同期ロック解除および並行ガイドが確保されうる。
【０００６】
一実施形態において、コントローラは、少なくとも１つの光学、音響、電気または磁気センサに接続される。この手段によって、異なるスイッチング信号がコントローラに送られ、その後、コントローラは、キャッチ部品の個々の開始要素を作動させる。コントローラは複数の駆動手段に接続され、これらの駆動手段によって、対応の開始要素が移動される。駆動手段は、例えば、リフト磁石、油圧、空圧、電気ドライブまたは他のドライブとして構成されうる。
【０００７】
可動家具部品の距離を決定するためのセンサがコントローラに設けられている場合、キャッチ部品の取り扱いを単純化でき、例えば、引出しを押すことで、引出しを開きたいというユーザの意向の信号をコントローラが受信し、すべてのキャッチ部品が自動的にロック解除されるようになる。ユーザは、キャッチ部品を機械的にロック解除することに依存する必要はなく、開始要素によって補助されうる。
【０００８】
各キャッチ部品の開始要素は、スイッチングカーブを有するコンポーネントの受け部に沿って変位可能に取り付けられたスライダとして構成されうる。開始要素を枢動可能に配設することも可能である。
【０００９】
引出しなどの家具部品に引張り力がかかっている状態で確実にロック解除し、過負荷により生じるダメージを回避するために、各スイッチングカーブは、キャッチ部品に変位可能に取り付けられ、力蓄積デバイス、例えば、ゴム要素または引張りばねまたは圧縮ばねの形態の力蓄積デバイスによって、初期位置において予張力がかけられうる。これにより、それぞれのキャッチ部品のロック解除が所定の力で確保されうる。
【００１０】
一実施形態において、光学または音響デバイスが、開始要素を作動させると同時にオンに切り換えられる。例えば、引出しを開くと、コントローラは、電源が供給され引出しを照らす光源に信号を送りうる。加えて、音響信号がこの制御に伴いうる。
【００１１】
以下、添付の図面を参照することによって、いくつかの例示的な実施形態を参照しながら本発明について詳細に説明する。
【図面の簡単な説明】
【００１２】
【図１】ＡおよびＢは引き抜きガイドに取り付けられたひ引出しの斜視図と平面図である。
【図２】Ａは引き抜きガイドに取り付けられた状態のキャッチ部品の斜視図であり、Ｂは図２Ａのキャッチ部品の斜視図である。
【図３】図２のキャッチ部品の分解図を示す。
【図４】ＡおよびＢは図２のキャッチ部品のスイッチング要素が見える状態のスイッチングカーブの図を示す。
【図５】Ａ〜Ｄは開始要素が見える状態のスイッチングカーブを有するコンポーネントの斜視図を示す。
【図６】Ａ〜Ｄはスイッチング要素のロック解除中のスイッチングカーブの図を示す。
【図７】開始要素および図３の斜視図のスイッチングカーブを有するコンポーネントの拡大図を示す。
【図８】Ａ〜Ｄはスイッチング要素のロック解除中のキャッチ部品の図を示す。
【図９】Ａ〜Ｄはスイッチング要素のロック解除中のスイッチを有するキャッチ部品の図を示す。
【図１０】キャッチ部品の引き金を制御するための概略回路図を示す。
【図１１】キャッチ部品の変形例の分解図を示す。
【図１２】本発明によるキャッチシステムの２つのキャッチ部品の図を示す。
【図１３】異なる位置にある本発明によるキャッチシステムの２つのキャッチ部品の図を示す。
【図１４】異なる位置にある本発明によるキャッチシステムの２つのキャッチ部品の図を示す。
【図１５】異なる位置にある本発明によるキャッチシステムの２つのキャッチ部品の図を示す。
【図１６】異なる位置にある本発明によるキャッチシステムの２つのキャッチ部品の図を示す。
【図１７】異なる位置にある本発明によるキャッチシステムの２つのキャッチ部品の図を示す。
【図１８Ａ】ＡおよびＢはキャッチシステムを有する家具の別の実施形態を示す。
【図１９】キャッチ部品を同期させて起動するための概略回路図を示す。
【発明を実施するための形態】
【００１３】
キャッチシステムによって家具本体に引出し９３が変位可能に保持され、この目的のために、左側壁９１に第１の引き抜きガイド１が設けられ、右側壁９２に第２の引き抜きガイド１が設けられ、側壁９１および９２はベース９０を支持する。
【００１４】
図２Ａに示す引き抜きガイド１は、家具本体に取付可能である固定ガイドレール２を備える。ガイドレール２には、直接、または、突出状の作動器（ａｃｔｉｖａｔｏｒ）１７が固定された中央レールを介して、スライドレール３が変位可能に取り付けられている。作動器１７は、ハウジング４の湾曲したガイド５に沿って変位可能である随伴具（ｅｎｔｒａｉｎｅｒ）７に連結されうる。ハウジング４は、ガイドレール２に固定されうる。
【００１５】
ハウジング４に、ばね要素のさらなるハウジング６が固定される。ハウジング６は、ハウジング４と一体形成された支持体６５（図３）に係合されてもよい。随伴具７は、ドーム状の受け部に厚みのある球形状の端部セクション６１とともに収容されるロッド６０に連結される。端部セクション６１は、シームレスの積極的又は非積極的な態様で受容され得る。ロッド６０は、ばね６３の一端が当接する端部セクション６１と反対側にあるディスク６２に接続される。ばね６３の反対側の端部は、ハウジング６のカバー６４またはハウジホングベースに支持される。
【００１６】
随伴具７は、連結要素９が固定されたサイドアーム８をさらに有する。連結要素９は、屈曲した端部セクション１１を有する金属ワイヤとして構成されたスイッチング要素１０に接続される。スイッチング要素１０の屈曲端部セクション１１は、コンポーネント１８と一体形成されるスイッチングカーブ２０に係合する。
【００１７】
コンポーネント１８は、ハウジング４の溝状の受け部１６上に変位可能に取り付けられる。この場合、コンポーネント１８は、ハウジング４のホルダ４８に一方のばね端部４６で固定されたばね４５によって、初期位置にて予張力がかけられる。コンポーネント１８に、ばね４５の反対側のばね端部４７が固定される。コンポーネント１８から間隔を空けて設けられたハウジング４の受け部１６に、ベース１２が形成される。その結果、ワイヤとして形成されたスイッチング要素１０が、屈曲端部セクション１１がスイッチングカーブ２０に係合する箇所で、スイッチングカーブ２０を介してベース１２とコンポーネント１８との間を移動可能である。さらに、ベース１２により、屈曲端部セクション１１がスイッチングカーブ２０から脱しないようにされている。
【００１８】
スイッチング要素１０は、開始要素３０によって係合位置からロック解除されることができ、この目的の開始要素は、リンク５１を介してリフト磁石５０に連結されている。リフト磁石５０は、内部復帰デバイスを有する。
【００１９】
図４を参照しながら、スイッチングカーブ２０を有するキャッチ部品１５およびスイッチング要素１０の機能について詳細に説明する。
【００２０】
初期位置では、スライドレール３に連結された引出し９３が閉位置に設置され、スイッチング要素１０は、スイッチングカーブ２０に保持され係合されるようになっている。この目的のために、屈曲端部セクション１１は、スイッチングッカーブ２０のキャッチ用凹部２６にあり、ロッド６０、随伴具７およびさらなる連結要素を介してばね６３の力によってキャッチ用凹部２６内に押し込まれる。ハウジング１８にあるスイッチングカーブ２０は溝状であるように形成され、ループ状セクション２３を備える。
【００２１】
この閉鎖位置から引出し９３を開ける場合（図４Ａ）、閉鎖位置にある引出しを家具本体の方へ押すことでスイッチング要素１０のロックが解除され、屈曲端部セクション１１がスイッチングカーブ２０上を追い込み斜面（ｒｕｎ−ｉｎ  ｓｌｏｐｅ）２８に向かって移動することで、スイッチング要素１０が枢動し、キャッチ用凹部２６（図４Ｂ）に対してオフセットされて設けられた受け部２７に係合する。引出し１が解放されると、スイッチング要素１０は、出口３２内に移動するまで、圧縮ばね６３の力がかかることで、スイッチングカーブ２０のループ状セクション２３に移動して戻る。
【００２２】
引出しの閉鎖動作中、スイッチング要素１０は、スイッチングカーブ２０に沿ってループ状セクション２３内を移動し、溝状受け部２５に隣接した位置にある分岐点２４へと移動する。したがって、分岐点２４の領域において、スイッチング要素１２は、引出しの前面パネルが家具本体に当たるまで、突出部２５内を最初に移動する。ユーザにより解放されると、引出し１は、圧縮ばね６３の力によって戻り、最終的には、端部セクション１１はキャッチ用凹部２６の方向に移動されて、図４Ａに示す位置に達する。
【００２３】
図５および図６には、スイッチング要素１０のロックを解除し、それに対応して、別の方法で引き抜きガイドに装着された押込み要素を開くために、スイッチング要素１０の端部セクション１１が異なる位置にある、スイッチングカーブ２０を有するコンポーネント１８が示されている。キャッチ用凹部２６から端部セクション１１を移動可能にする開始要素３０が、コンポーネント１８に変位可能に装着される。
【００２４】
図５Ａおよび図６Ａにおいて、スイッチング要素１０の端部セクション１１はキャッチ用凹部２６に位置し、開始要素３０は初期位置にある。
【００２５】
スイッチング要素１０のロックを解除するために、開始要素３０は、図６Ｂに示すように、スイッチング要素１０の端部セクション１１がキャッチ用凹部２６から移動し、追い込み斜面２８に押圧されるようにして、コンポーネント１８の長手方向に変位されうる。図５Ｃに示すように、開始要素３０がさらに変位している間、端部セクション１１は、最終的に、キャッチ用凹部２６から押し出されて、キャッチ用凹部２６の縁にある先端２９をまわってループ状セクション２３内に移動する。これにより、開始要素３０は、追い込み斜面２８に対してオフセットした状態で配置され、好適には、先端２９の方向に傾斜がつけられたストッパ３１を有する（図７）。
【００２６】
次に、ばね６３の力により、スイッチング要素１０は、スイッチング要素２０のループ状セクション２３に沿って開口の方向に移動する（図６Ｄ）。
【００２７】
図７には、開始要素３０が詳細に示されている。開始要素３０は、実質的にプレート状に構成され、スイッチングカーブ２０を有するコンポーネント１８の受け部４０に変位可能に取り付けられている。開始要素３０には、ウェブが形成された段３５が設けられ、ウェブの端部には、スイッチング要素１０の端部セクション１１用のストッパ３１が形成される。さらに、コンポーネント１８の実質的に矩形状の受け部４０において案内される開始要素３０に、突出部３２が設けられる。スライドアーム３４が、開始要素３０に横方向に突設されており、凹状の受け部４０の開端部セクション４１を通って延びている。受け部４０には開口４２が形成され、受け部４０を通して、段３５およびストッパ３１付きのウェブが導入される。開始要素３０は、スライドアーム３４に連結された電気機械手段または電磁気手段によって変位可能である。この目的のために、必要に応じて、コントローラを介して励起されるリフト磁石５０が設けられる。コントローラは、ロック解除をもたらすために、電気、光学または音響パルスを検出するためのセンサに接続されうる。
【００２８】
図８Ａ〜図８Ｄは、スイッチング要素１０のロック解除中のキャッチ部品を示す。図８Ａにおいて、開始要素３０は初期位置にあり、スイッチング要素１０はキャッチ用凹部２６にロックされている。ロック解除のために、リフト磁石５０は励起され、スライドアーム３４に連結されたリンク５１によって、開始要素３０を開放方向に対して押す。その結果、スイッチング要素１０の端部セクション１１は、図６Ａ〜図６Ｄに示すように、キャッチ用凹部２６からループ状セクション２３内に移動する。
【００２９】
リフト磁石５０の励起をオフにした後、開始要素３０は、例えば、ばねの形態の内部復帰デバイスによるばね作用下で移動して、初期位置に戻る。次に、ロック解除されたスイッチング要素１０は、ばね６３の力によって、開放方向に移動する。端部位置において、随伴具７は、湾曲したトラックの端部セクションに待機し、引き抜きガイドのスライドレール３は、開放方向に随伴具７から独立して移動しうる。このような解放の変形態様において、リフト磁石は、例えば、外部スイッチによって誘引されうるため、解放にパネルギャップが要求されない。
【００３０】
引出しの前面パネルに引張り力がかけられると、引出しは、コンポーネント１８を変位可能に取り付けられていることによって、ばね４５の力に抗して変位されうる。このような過負荷の状況において、コンポーネント１８とスイッチング要素１０との間の相対運動の結果として、連続する図６Ｂおよび図６Ｃに示すロック解除がもたらされるように、開始要素３０は静止したままであり、開放方向にあるスイッチング要素１０用のストッパを形成することができる。
【００３１】
図９Ａ〜図９Ｄは、コンポーネント１８の移動を検出可能であるセンサ７１を備えるスイッチ７０とともに、ロック解除中のキャッチ部品を示す。
【００３２】
また、コンポーネント１８の変位（過負荷）によるスイッチング要素１０のロック解除は、任意に、開放方向に反して開始要素３０を変位させることによってもたらされうる。この目的のために、スイッチ７０は、センサ７１によって、コントローラがリフト磁石５０を作動させるコンポーネント１８の引張り移動または引張り力を検出しうる。その結果、開始要素３０は、リフト磁石５０によって変位され（図９Ｂおよび図９Ｃ）、図６Ｂおよび図６Ｃを参照しながらすでに説明したように、スイッチング要素１０をロック解除する。ロック解除後、コンポーネント１８は、ばね４５の力によって移動され、開始要素３０は、内部復帰デバイスによって初期位置に移動して戻される（図９Ｄ）。
【００３３】
図１０は、コントローラの概略回路図を示す。スイッチ７０は、センサおよび／または検知デバイスを備え、コントローラを介して、開始要素３０を移動可能なリフト磁石５０に接続される。リフト磁石５０は電源７５に接続され、開始要素３０を作動させるように励起されうる。
【００３４】
図１１は、上述した例示的な実施形態と同じ参照番号で同じコンポーネントが示されたキャッチ部品１５’の変形形態を示す。ハウジング４に、スイッチングカーブを有するコンポーネント１８’が変位可能に取り付けられていないが、コンポーネント１８’には、ハウジング４のホルダ４８’に固定された端部にヘッドセクション１９’が設けられる。その結果、コンポーネント１８は、図４および図６のステップによって、スイッチング要素１０のロック解除のみが起こりうるようにハウジング４に固定される。
【００３５】
図示実施形態において、スイッチ７０は、用途に応じてスイッチング要素１０のロック解除をもたらす機械、光学または音響センサに接続されてもよい。あるいは、例えば、引出しの照明が、スイッチ７０によってオンに切り換えられてもよい。また、スイッチ７０によって他の機能が機能するようにされてもよい。
【００３６】
リフト磁石５０の代わりに、例えば、枢動式の磁石など、開始要素３０を動かすための別の駆動手段が設けられうる。開始要素３０は、線形ではなく枢動可能に取り付けられうる。開始要素３０を動かすための駆動手段は、リフト磁石に限られず、他の調節駆動手段も実現可能である。
【００３７】
キャッチ部品１５、１５’からのいくつかのスイッチング要素１０の同時的なロック解除は、以下で述べるように、スイッチ７０によって行われる。
【００３８】
図１２〜図１７は、いろいろな位置にある左キャッチ部品および右キャッチ部品のキャッチシステムをそれぞれ示す。図１２において、２つのキャッチ部品を有するキャッチシステムは静止位置に配置され、この位置では引出し９３は家具本体の前で閉位置に配置される。
【００３９】
図１３は、フロントパネルを押して引出し９３が左側で手動で起動されることで、左側でスイッチング要素１０がキャッチ部品１５のキャッチ用凹部２６から移動した位置を示す。一方、右側では、引出しが移動してもスイッチング要素１０はロック解除されず、逆に、開始要素３０が固定されたままでスイッチング要素１０のストッパとなっている間、すでに起動されたキャッチ部品のせん断力が引出し９３にかかり始めることで、コンポーネント１８がわずかに引き出される。まだ起動されていない個々のキャッチ部品１５を見てみると、すでに起動されたキャッチ部品１５のせん断力は、まだ起動されていないキャッチ部品１５のばね付勢された変位可能なコンポーネント１８に作用する。スイッチングカーブ２０を有するコンポーネント１８の移動は、コンポーネント１８に対してスイッチまたはセンサ７１と当接するスイッチ７０によって検出される。
【００４０】
図１４に示すように、スイッチ７０によってコンポーネント１８の相対移動が検出されると、コントローラに信号が送られることで、右側の開始要素３０が起動される。リフト磁石５０は、この目的のために起動され、スイッチング要素１０が右側でロック解除されるように、ロッド５１を介して図１４の右側に開始要素３０を移動する。
【００４１】
キャッチ部品１５の右側におけるスイッチング要素１０をロック解除した後、コンポーネント１８は、ばね４５の力がかかると初期位置に再度移動される。その結果、スイッチ７０のセンサ７１は初期位置に再度戻る。その結果、スイッチ７０は、コンポーネント１８が元の位置に再度戻ったという別の信号をコントローラに送信する。
【００４２】
スイッチング要素１０をロック解除した後、随伴具７は、作動器１７およびスライドレール３が引出し９３とともに移動可能なように、開放方向に互いに平行に移動される。また、開始要素３０は、リフト磁石５０をオフにした後、初期位置に移動して戻される。
【００４３】
図１７は、随伴具７がガイドトラックの湾曲した端部セクションにとどまり、引出し９の閉鎖移動により再度係合位置に入るまで待機する端部セクションを示す。
【００４４】
図１８Ａおよび図１８Ｂは、互いに横方向に隣接してではなく、互いに上に２つの引き抜きガイド１が設けられたキャッチシステムの例示的な変形実施形態を示す。このような引き抜きガイド（ｐｕｌｌ−ｏｕｔ  ｇｕｉｄｅｓ）１は、特に、高さが幅の何倍にもなる薬種棚に使用される。引き抜きガイド１の各々は、家具本体の側壁６１に固定され、各引き抜きガイド１のスライドレール３に、部分的にのみ示されているメッシュ９４が設置される。また、垂直方向に押すこのような引き抜きガイドは、斜方向に設けられることが多い。
【００４５】
図１９は、本発明による少なくとも２つのキャッチ部品１５、１５’の同期的起動を示す。高いスイッチングの安全性を達成するために、リフト磁石５０の同期的起動が、センサ７１およびスイッチ７０とともに、コントローラ７６によって基本的にもたらされる。システムを動作するために、電圧供給源７６が要求される。センサ７１が作動されると、常に、引出し９３に対して接続されたすべてのリフト磁石５０が起動される。
【００４６】
２つの引き抜きガイド１の代わりに、本発明によるキャッチシステムにおいて、３つ以上の引き抜きガイド１が使用されうる。加えて、キャッチシステムはまた、線形変位運動の代わりに枢動運動が設けられるヒンジ要素に対して使用されうる。
【符号の説明】
【００４７】
１  引き抜きガイド
２  ガイドレール
３  スライドレール
４  ハウジング
５  カーブガイド
６  ハウジング
７  随伴具
８  サイドアーム
９  連結要素
１０  スイッチング要素
１１  端部セクション
１２  ベース
１５  キャッチ部品
１６…受け部
１７  作動器
１８  コンポーネント
１８’  コンポーネント
１９  ヘッドセクション
１９’  ヘッドセクション
２０  スイッチングカーブ
２３  ループ状セクション
２４  分岐点
２５  受け部
２６  キャッチ用凹部
２７  受け部
２８  追い込み斜面
２９  先端
３０  開始要素
３１  ストッパ
３２  出口
３５  段
４０  受け部
４１  縁部セクション
４２  開口
４５  ばね
４６  ばね端部
４７  ばね端部
４８  ホルダ
４８’  ホルダ
５０  リフト磁石
５１  リンク
６０  ロッド
６１  側壁
６２  ディスク
６３  ばね
６４  カバー
６５  支持体
７０  スイッチ
７１  センサ
７５  電源
７６  コントローラ
９０  ベース
９１  側壁
９２  側壁
９３  引出し
９４  メッシュ
【図１Ａ】
0005622245.tif 000002
【図１Ｂ】
0005622245.tif 000003
【図２Ａ】
0005622245.tif 000004
【図２Ｂ】
0005622245.tif 000005
【図３】
0005622245.tif 000006
【図４Ａ】
0005622245.tif 000007
【図４Ｂ】
0005622245.tif 000008
【図５Ａ】
0005622245.tif 000009
【図５Ｂ】
0005622245.tif 000010
【図５Ｃ】
0005622245.tif 000011
【図５Ｄ】
0005622245.tif 000012
【図６Ａ】
0005622245.tif 000013
【図６Ｂ】
0005622245.tif 000014
【図６Ｃ】
0005622245.tif 000015
【図６Ｄ】
0005622245.tif 000016
【図７】
0005622245.tif 000017
【図８Ａ】
0005622245.tif 000018
【図８Ｂ】
0005622245.tif 000019
【図８Ｃ】
0005622245.tif 000020
【図８Ｄ】
0005622245.tif 000021
【図９Ａ】
0005622245.tif 000022
【図９Ｂ】
0005622245.tif 000023
【図９Ｃ】
0005622245.tif 000024
【図９Ｄ】
0005622245.tif 000025
【図１０】
0005622245.tif 000026
【図１１】
0005622245.tif 000027
【図１２】
0005622245.tif 000028
【図１３】
0005622245.tif 000029
【図１４】
0005622245.tif 000030
【図１５】
0005622245.tif 000031
【図１６】
0005622245.tif 000032
【図１７】
0005622245.tif 000033
【図１８Ａ】
0005622245.tif 000034
【図１８Ｂ】
0005622245.tif 000035
【図１９】
0005622245.tif 000036